(57)【特許請求の範囲】
【請求項１】
予め定められた複数の音声搬送波周波数に対応して、所定の音声搬送波周波数のみを通過可能とするバンドパスフィルタがそれぞれ設けられると共に、
制御信号に応じてこれら複数のバンドパスフィルタの何れか一つに外部からの中間周波数検波信号を入力可能に入力の接続を切り換える切り換え手段と、
バンドパスフィルタを通過せしめられた信号に対してＦＭ検波が施されるＦＭ検波手段とが設けられてなるテレビジョン受信機用音声回路であって、
前記ＦＭ検波手段は、所定の周波数範囲において入力周波数に応じた直流電圧を出力するよう構成され、
前記切り換え手段に対する制御信号を生成、出力するスイッチ信号発生手段が設けられ、
当該スイッチ信号発生手段は、テレビジョン受信機の中間周波回路のＡＧＣ電圧と、前記ＦＭ検波手段の出力電圧とを入力し、
前記ＡＧＣ電圧が前記中間周波回路のゲインを最大とする状態に対応する電圧値となった際、前記切り換え手段により全てのバンドパスフィルタに対して外部からの中間周波数検波信号が入力されるよう前記切り換え手段の動作を制御する制御信号を生成、出力する一方、
前記ＦＭ検波手段から予め定められた複数の音声搬送周波数に対応する電圧の何れかが出力された際には、切り換え手段により当該音声搬送周波数に対応するバンドパスフィルタのみに中間周波数検波信号が入力されるように前記切り換え手段の動作を制御する制御信号を生成、出力するよう構成されてなることを特徴とするテレビジョン受信機用音声回路。
【請求項２】
通過周波数が５．５ＭＨｚと設定された第１のバンドパスフィルタと、通過周波数が６．０ＭＨｚと設定された第２のバンドパスフィルタと、通過周波数が６．５ＭＨｚと設定された第３のバンドパスフィルタとが設けられる一方、
切り換え手段は第１乃至第３のスイッチを具備してなり、当該第１乃至第３のスイッチの他方は相互に接続されて中間周波数検波信号の入力端とされ、第１のスイッチの他端は、前記第１のバンドパスフィルタの一端に、第２のスイッチの他端は、前記第２のバンドパスフィルタの一端に、前記第３のスイッチの他端は、前記第３のバンドパスフィルタの一端に、それぞれ接続される一方、前記第１乃至第３のバンドパスフィルタの他端は相互に接続されて後段へ接続されてなることを特徴とする請求項１記載のテレビジョン受信機用音声回路。
【請求項３】
スイッチ信号発生手段は、ＡＧＣ電圧が中間周波回路のゲインを最大とする状態に対応する電圧値となった際、第１乃至第３のスイッチを閉成状態とする制御信号を生成、出力し、
ＦＭ検波手段から５．５ＭＨｚの入力周波数に対応する電圧が出力された際には、第２及び第３のスイッチを開成状態とする制御信号を生成、出力し、
ＦＭ検波手段から６．０ＭＨｚの入力周波数に対応する電圧が出力された際には、第１及び第３のスイッチを開成状態とする制御信号を生成、出力し、
ＦＭ検波手段から６．５ＭＨｚの入力周波数に対応する電圧が出力された際には、第１及び第２のスイッチを開成状態とする制御信号を生成、出力することを特徴とする請求項２記載のテレビジョン受信機用音声回路。
【請求項４】
予め定められた複数の音声搬送波周波数に対応して、所定の音声搬送波周波数のみを通過可能とするバンドパスフィルタがそれぞれ設けられると共に、
制御信号に応じてこれら複数のバンドパスフィルタの何れか一つに外部からの中間周波数検波信号を入力可能に入力の接続を切り換える切り換え手段と、
バンドパスフィルタを通過せしめられた信号に対してＦＭ検波が施されるＦＭ検波手段とが設けられてなるテレビジョン受信機用音声回路であって、
前記ＦＭ検波手段は、所定の周波数範囲において入力周波数に応じた直流電圧を出力するよう構成され、
前記切り換え手段に対する制御信号を生成、出力するスイッチ信号発生手段が設けられ、
当該スイッチ信号発生手段は、テレビジョン受信機のチューナのＰＬＬロック検出電圧と、前記ＦＭ検波手段の出力電圧とを入力し、
前記ＰＬＬロック検出電圧が非ロック状態に対応した電圧値となった際、前記切り換え手段により全てのバンドパスフィルタに対して外部からの中間周波数検波信号が入力されるよう前記切り換え手段の動作を制御する制御信号を生成、出力する一方、
前記ＦＭ検波手段から予め定められた複数の音声搬送周波数に対応する電圧の何れかが出力された際には、切り換え手段により当該音声搬送周波数に対応するバンドパスフィルタのみに中間周波数検波信号が入力されるように前記切り換え手段の動作を制御する制御信号を生成、出力するよう構成されてなることを特徴とするテレビジョン受信機用音声回路。
【請求項５】
通過周波数が５．５ＭＨｚと設定された第１のバンドパスフィルタと、通過周波数が６．０ＭＨｚと設定された第２のバンドパスフィルタと、通過周波数が６．５ＭＨｚと設定された第３のバンドパスフィルタとが設けられる一方、
切り換え手段は第１乃至第３のスイッチを具備してなり、当該第１乃至第３のスイッチの他方は相互に接続されて中間周波数検波信号の入力端とされ、第１のスイッチの他端は、前記第１のバンドパスフィルタの一端に、第２のスイッチの他端は、前記第２のバンドパスフィルタの一端に、前記第３のスイッチの他端は、前記第３のバンドパスフィルタの一端に、それぞれ接続される一方、前記第１乃至第３のバンドパスフィルタの他端は相互に接続されて後段へ接続されてなることを特徴とする請求項４記載のテレビジョン受信機用音声回路。
【請求項６】
スイッチ信号発生手段は、ＰＬＬロック検出電圧が非ロック状態に対応した電圧値となった際、第１乃至第３のスイッチを閉成状態とする制御信号を生成、出力し、
ＦＭ検波手段から５．５ＭＨｚの入力周波数に対応する電圧が出力された際には、第２及び第３のスイッチを開成状態とする制御信号を生成、出力し、
ＦＭ検波手段から６．０ＭＨｚの入力周波数に対応する電圧が出力された際には、第１及び第３のスイッチを開成状態とする制御信号を生成、出力し、
ＦＭ検波手段から６．５ＭＨｚの入力周波数に対応する電圧が出力された際には、第１及び第２のスイッチを開成状態とする制御信号を生成、出力することを特徴とする請求項５記載のテレビジョン受信機用音声回路。
【請求項７】
請求項１記載のテレビジョン受信機用音声回路を具備してなることを特徴とするテレビジョン受信機。
【請求項８】
請求項４記載のテレビジョン受信機用音声回路を具備してなることを特徴とするテレビジョン受信機。
【発明の詳細な説明】
【０００１】
【発明の属する技術分野】
本発明は、テレビジョン受信機に係り、特に、音声信号回路の改良を図ったものに関する。
【０００２】
【従来の技術】
テレビジョン受信機の中間周波回路としては、例えば、図３に示された構成のものが公知・周知となっている。
すなわち、この中間周波回路は、チューナ（図３においては「ＴＵＮ」と表記）１０により得られたテレビジョン信号が、中間周波増幅回路（図３においては「ＩＦ  ＡＭＰ」と表記）１１により増幅された後、中間周波数検波回路（図３においては「ＩＦ  ＤＥＴ」と表記）１２で検波されて中間周波数信号とされた後、この信号が映像信号回路（図３においては「ＶＩＤＥＯ」と表記）１３と、音声信号回路（図３においては「ＡＵＤＩＯ」と表記）１４とへ、それぞれ入力されて必要な処理が施され、所定の映像信号と音声信号がそれぞれ得られるようになっているものである。
【０００３】
音声信号回路１４及び映像信号回路１３に入力される中間周波数検波信号（以下「ＩＦ検波信号」と言う）は、振幅変調された映像信号と周波数変調された音声信号との複合信号であるが、周波数変調される音声信号は、テレビジョン方式によりその音声搬送波周波数が種々異なる。
すなわち、テレビジョン方式がいわゆるＢ方式又はＧ方式である場合には、音声搬送波周波数は、５．５ＭＨｚであり、いわゆるＩ方式の場合には、音声搬送波周波数は、６．０ＭＨｚであり、いわゆるＤ方式又はＫ方式の場合には、音声搬送波周波数は、６．５ＭＨｚとなる。
このため、音声信号回路１４は、何れの方式による信号が入力されても、音声信号を出力できるような構成のものが提案されており、その代表的な構成としては、例えば、入力された信号が混合器により単一信号とされた後に、ＦＭ検波がなされるように構成されたものや、リモコン等による外部からの信号に応じてモードスイッチにより切り替えを行った後に、ＦＭ検波がなされるように構成されたもの等がある。
【０００４】
図４及び図５には、上述した２つの音声信号回路の構成例が示されており、以下、同図を参照しつつ、これらの回路例について概括的に説明する。
最初に、図４に示された回路例について説明すれば、この回路例は、入力された信号が混合器により単一信号とされた後に、ＦＭ検波がなされるように構成されたものである。
すなわち、外部入力されたＩＦ検波信号は、５ＭＨｚ以上の信号のみを通過せしめるハイパスフィルタ（図４においては「５ＭＨｚＨＰＦ」と表記）１５により映像信号が除去され、混合器（図４においては「ＭＩＸ」と表記）１６により、局部発振器（図４においては「５００ＫＨｚＯＳＣ」と表記）１７からの５００ＫＨｚの信号と周波数混合されて、６．０ＭＨｚの単一信号に変換されるようになっている。
【０００５】
そして、その単一信号は、６．０ＭＨｚの信号のみが通過可能なバンドパスフィルタ（図４においては「６．０ＭＨｚＢＰＦ」と表記）３ｂを通過せしめられた後、リミッタ回路（図４及び図５においては「ＬＩＭ」と表記）４により振幅が所定の範囲に制限され、ＦＭ検波回路（図４及び図５においては「ＦＭ  ＤＥＴ」と表記）５によるＦＭ検波が施されることで、音声信号が復調され、音声信号増幅回路（図４及び図５においては「ＡＵＤＩＯ  ＡＭＰ」と表記）６により増幅されて出力されるようになっている。
【０００６】
次に、図５に示された回路例について説明すれば、この回路例は、リモコン等による外部からの信号に応じてモードスイッチにより切り替えを行った後に、ＦＭ検波がなされるように構成されたものである。
すなわち、この回路の入力初段には、先に述べたテレビジョン方式の違いによる各音声搬送波周波数に対応した通過周波数を有してなる３つのバンドパスフィルタ３ａ〜３ｃが設けられており、これら３つのバンドパスフィルタ３ａ〜３ｃは、例えば、図示されないリモコンからの切り替え信号に代表される外部スイッチ信号（図５においては「外部ＳＷ信号」と表記）に応じて開閉成される第１乃至第３のスイッチ（図５においてはそれぞれ「ＳＷ１」、「ＳＷ２」、「ＳＷ３」と表記）２ａ〜２ｃにより、いずれか一つが選択されるようになっている。
【０００７】
そして、何れかのバンドパスフィルタ３ａ〜３ｃを通過した信号は、リミッタ回路４により振幅が所定の範囲に制限され後、ＦＭ検波回路５によるＦＭ検波が施され、その結果、音声信号が復調され、音声信号増幅回路６により増幅されて出力されるようになっている。
【０００８】
【発明が解決しようとする課題】
しかしながら、上述した２つの従来回路には、それぞれ次のような欠点がある。
すなわち、前者（図４に示された回路例のもの）においては、後者（図５に示された回路例のもの）のようなテレビジョン受信機外部からのスイッチ信号を必要とせず、バンドパスフィルタが一つであるために、構成が後者に比して簡易なものとなり、比較的安価な回路とすることができる反面、単一信号化による信号歪みの発生や、Ｓ／Ｎ比の劣化という問題がある。
一方、後者においては、前者とは対称的に、信号歪みが少なく、Ｓ／Ｎ比が良好である反面、テレビジョン受信機の外部からのスイッチ信号を必要とするため、その信号を入力し、処理する回路を必要とし、テレビジョン受信機全体の回路構成を複雑化すると共に高価格化を招くという問題がある。
【０００９】
本発明は、上記実状に鑑みてなされたもので、バンドパスフィルタを切り換えるためのテレビジョン受信機外部からの信号を必要とせず、しかも、信号歪みが少なく、Ｓ／Ｎ比が良好なテレビジョン受信機用音声回路及びテレビジョン受信機を提供するものである。
本発明の他の目的は、テレビジョン受信機内部の信号を流用して自動的にバンドパスフィルタを切り換え可能としたテレビジョン受信機用音声回路及びテレビジョン受信機を提供することにある。
【００１０】
【課題を解決するための手段】
請求項１記載の発明に係るテレビジョン受信機用音声回路は、
予め定められた複数の音声搬送波周波数に対応して、所定の音声搬送波周波数のみを通過可能とするバンドパスフィルタがそれぞれ設けられると共に、
制御信号に応じてこれら複数のバンドパスフィルタの何れか一つに外部からの中間周波数検波信号を入力可能に入力の接続を切り換える切り換え手段と、
バンドパスフィルタを通過せしめられた信号に対してＦＭ検波が施されるＦＭ検波手段とが設けられてなるテレビジョン受信機用音声回路であって、
前記ＦＭ検波手段は、所定の周波数範囲において入力周波数に応じた直流電圧を出力するよう構成され、
前記切り換え手段に対する制御信号を生成、出力するスイッチ信号発生手段が設けられ、
当該スイッチ信号発生手段は、テレビジョン受信機の中間周波回路のＡＧＣ電圧と、前記ＦＭ検波手段の出力電圧とを入力し、
前記ＡＧＣ電圧が前記中間周波回路のゲインを最大とする状態に対応する電圧値となった際、前記切り換え手段により全てのバンドパスフィルタに対して外部からの中間周波数検波信号が入力されるよう前記切り換え手段の動作を制御する制御信号を生成、出力する一方、
前記ＦＭ検波手段から予め定められた複数の音声搬送周波数に対応する電圧の何れかが出力された際には、切り換え手段により当該音声搬送周波数に対応するバンドパスフィルタのみに中間周波数検波信号が入力されるように前記切り換え手段の動作を制御する制御信号を生成、出力するよう構成されてなるものである。
【００１１】
かかる構成においては、特に、テレビジョン受信機内部の２つの信号、すなわち、中間周波回路のＡＧＣ電圧と、ＦＭ検波手段の出力電圧とを用いて、複数のバンドパスフィルタを切り換える切り換え手段の動作を制御する制御信号を生成、出力するスイッチ信号発生手段を設けたことに特徴を有するものである。
すなわち、かかる構成においては、例えば、ＡＧＣ電圧は、テレビジョン受信機の電源スイッチ投入時またはチャンネル切り換えの際、中間周波回路のゲインを最大とする電圧となる。スイッチ信号発生手段は、このようなＡＧＣ電圧を検出し、切り換え手段により全てのバンドパスフィルタに対して外部からの中間周波数検波信号が入力されるよう前記切り換え手段の動作を制御する、換言すれば、切り換え手段の動作をリセット状態とする。そして、その状態でＦＭ検波手段に信号が入力されると、入力信号の周波数に応じた電圧が出力される。その結果、スイッチ信号発生手段により、ＦＭ検波手段の電圧値に対応した特定のバンドパスフィルタのみに対して中間周波数検波信号が入力されるよう切り換え手段の動作が制御されることとなり、従来と異なり、テレビジョン受信機外部から、複数のバンドパスフィルタを切り換えるための信号を入力する事無しに必要な切り換えがなされるようになっているものである。
【００１２】
また、スイッチ信号発生手段は、ＡＧＣ電圧に代えて、請求項４記載の発明に係るテレビジョン受信機用音声回路のように、テレビジョン受信機のチューナのＰＬＬロック検出電圧を用いるような構成としても同様な動作を得ることができる。
【００１３】
【発明の実施の形態】
以下、本発明の実施の形態について図１及び図２を参照しつつ説明する。
最初に、この発明の実施の形態におけるテレビジョン受信機用音声回路の構成について説明する。なお、図３及び図４に示された構成要素と同一の構成要素については、同一の符号を付することとする。
このテレビジョン受信機用音声回路は、従来と同様にテレビジョン受信機において、中間周波数検波回路（図示せず）の後段側に設けられ、中間周波数検波回路からの中間周波数検波信号（以下「ＩＦ検波信号」と言う）を入力し、振幅変調された映像信号と周波数変調された音声信号との複合信号であるこのＩＦ検波信号から音声信号のみを抽出するためのものである。
かかるテレビジョン受信機用音声信号は、切り換えスイッチ部１と、３つのバンドパスフィルタ３ａ〜３ｃと、リミッタ回路（図１においては「ＬＩＭ」と表記）４と、ＦＭ検波回路（図１においては「ＦＭ  ＤＥＴ」と表記）５と、音声信号増幅回路（図１においては「ＡＵＤＩＯ  ＡＭＰ」と表記）６と、スイッチ信号回路（図１においては「ＳＷ  ＳＩＧ」と表記）７とに大別されて構成されたものとなっている。
【００１４】
切り換え手段としての切り換えスイッチ部１は、入力段に設けられ、後述するようにスイッチ信号回路７からの制御信号に応じて、この切り換えスイッチ部１を構成する第１乃至第３のスイッチ２ａ〜２ｃを開閉成するようになっているものである。
すなわち、切り換えスイッチ部１は、第１乃至第３のスイッチ２ａ〜２ｃを有してなり、これら３つのスイッチ（図１においては、それぞれ「ＳＷ１」、「ＳＷ２」、「ＳＷ３」と表記）２ａ〜２ｃの一方の端は共通に接続されて、図示されない中間周波数検波回路からのＩＦ検波信号が印加されるようになっている。
そして、第１のスイッチ２ａの他端は、第１のバンドパスフィルタ（図１においては「５．５ＭＨｚＢＰＦ」と表記）３ａの一端側に、第２のスイッチ２ｂの他端は、第２のバンドパスフィルタ３ｂの一端側に、第３のスイッチ２ｃの他端は、第３のバンドパスフィルタ３ｃの一端側へ、それぞれ接続されている。
【００１５】
第１のバンドパスフィルタ３ａは、５．５ＭＨｚの周波数の信号のみが通過可能に構成された公知・周知の構成を有するバンドパスフィルタで、テレビジョン方式がいわゆるＢ／Ｇ方式の場合におけるＦＭ変調された音声信号のみを通過せしめるために設けられたものである。この第１のバンドパスフィルタ３ａの他端は、後述する第２及び第３のバンドパスフィルタ３ｂ，３ｃの他端と接続されると共に、リミッタ回路４の入力段に接続されている。
第２のバンドパスフィルタ３ｂは、６．０ＭＨｚの周波数の信号のみが通過可能に構成された公知・周知の構成を有するバンドパスフィルタで、テレビジョン方式がいわゆるＩ方式の場合におけるＦＭ変調された音声信号のみを通過せしめるために設けられたものである。
第３のバンドパスフィルタ３ｃは、６．５ＭＨｚの周波数の信号のみが通過可能に構成された公知・周知の構成を有するバンドパスフィルタで、テレビジョン方式がいわゆるＤ／Ｋ方式の場合におけるＦＭ変調された音声信号のみを通過せしめるために設けられたものである。
【００１６】
リミッタ回路４は、いわゆるＦＭ検波の前に被検波信号の振幅レベルを所定の範囲に揃えるための公知・周知の構成を有してなるものである。
ＦＭ検波手段としてのＦＭ検波回路５は、被検波信号に対していわゆるＦＭ検波を施して、音声信号の復調を行うための公知・周知のもので、この実施の形態においては、特に、公知・周知のいわゆるＰＬＬ（ｐｈａｓｅ−Ｌｏｃｋｅｄ  Ｌｏｏｐ）回路によるＦＭ検波が行われるように構成されたものが好適である。
【００１７】
このいわゆるＰＬＬ−ＦＭ検波が行われるＦＭ検波回路５の入力周波数に対するＤＣ出力電圧変化特性としては、例えば、図２に示されたような特性を有するものが好適である。
すなわち、このＦＭ検波回路５は、入力周波数が大凡５．４ＭＨｚ近傍を越えるといわわゆるＰＬＬループがロックした状態となり、それ以降は、入力周波数の上昇と共に、ＤＣ出力電圧も略比例的に大となり、入力周波数が大凡６．６ＭＨｚ付近でいわゆるアンロック状態となるものである（図２参照）。
このような出力特性を有するＦＭ検波回路５の出力は、音声信号増幅回路６と、スイッチ信号回路７とへ、それぞれ入力されるようになっている。
【００１８】
スイッチ信号発生手段としてのスイッチ信号回路７は、ＦＭ検波回路５からの上述したようなＤＣ出力電圧を入力信号とすると共に、チャンネル切り換え信号（図１においては「ＣＨ切り換え信号」と表記）として、例えば、テレビジョン受信機内の中間周波回路において、通常設けられている公知・周知のＡＧＣ（Ａｕｔｏｍａｔｉｃ  Ｇａｉｎ  Ｃｏｎｔｒｏｌ）回路のいわゆるＡＧＣ電圧が入力されるようになっている。なお、テレビジョン受信機のチューナ（図示せず）がＰＬＬによる同調回路から構成されている場合には、その回路内で発生するいわゆるＰＬＬロック検出の電圧を、先のＡＧＣ電圧に代えてチャンネル切り換え信号としてもよい。
【００１９】
このような入力信号を有するスイッチ信号回路７は、まず、所定のＡＧＣ電圧が入力された場合には、第１乃至第３のスイッチ２ａ〜２ｃを全て閉成状態とする（換言すれば、リセット状態とする）ような制御信号を生成し、切り換えスイッチ部１へ対して出力するようになっている。
また、一方、ＦＭ検波回路５からのＤＣ出力電圧が所定の電圧となった際には、スイッチ信号回路７は、その電圧に対応した第１乃至第３のスイッチ２ａ〜２ｃを閉成状態とするための制御信号を生成し、切り換えスイッチ部１へ対して出力するようになっている。
【００２０】
すなわち、ＦＭ検波回路５のＤＣ出力電圧特性が先に図２に示されたようなものであるとすると、ＤＣ出力電圧が２ｖ以下の場合には、このスイッチ信号回路７は、第２及び第３のスイッチ２ｂ，２ｃを開成状態とするための制御信号を生成し、切り換えスイッチ部１へ対して出力する。また、ＤＣ出力電圧が２乃至３ｖの範囲内である場合には、スイッチ信号回路７は、第１及び第３のスイッチ２ａ，２ｃを開成状態とするための制御信号を生成し、切り換えスイッチ部１へ対して出力する。さらに、ＤＣ出力電圧が３ｖを越える場合は、スイッチ信号回路７は、第１及び第２のスイッチ２ａ，２ｂを開成状態とするための制御信号を生成し、切り換えスイッチ部１へ対して出力する。
【００２１】
なお、ＡＧＣ電圧に代えてチューナのＰＬＬロック検出の電圧が入力される構成である場合には、スイッチ信号回路７は、ＰＬＬロック検出の電圧が、非ロック状態が検出された際の電圧となった場合に、第１乃至第３のスイッチ２ａ〜２ｃを閉成状態とするための制御信号を生成し、切り換えスイッチ部１へ対して出力するように構成される。
【００２２】
次に、上記構成における動作について、図１及び図２を参照しつつ説明する。まず、このテレビジョン受信機用音声回路が組み込まれたテレビジョン受信機の図示されない電源スイッチがいわゆるオン状態とされるか、または、チャンネルの切り換えが行われたとする。
このような状態とされた際、一般にＡＧＣ電圧は、中間周波回路のゲインを最大とする電圧となる。また同時に、図示されないテレビジョン受信機のチューナにおけるＰＬＬロック検出の電圧は、いわゆる非ロック状態に対応した電圧となる。
【００２３】
上述したようなＡＧＣ電圧（又は、テレビジョン受信機のチューナにおけるＰＬＬロック検出の電圧）がスイッチ信号回路７に入力されることで、スイッチ信号回路７からは、第１乃至第３のスイッチ２ａ〜２ｃが、全て閉成状態とされるような制御信号が生成、出力されることとなる。その結果、切り換えスイッチ部１においては、第１乃至第３のスイッチ２ａ〜２ｃが、全て閉成状態とされ、ＩＦ検波信号が、第１乃至第３のバンドパスフィルタ３ａ〜３ｃ及びリミッタ回路４を介してＦＭ検波回路５へ入力されることとなる。
そして、リミッタ回路４を介して入力された信号に応じてＦＭ検波回路５において、いわゆるＰＬＬループがロック状態となると、出力電圧は、入力された信号の周波数に対応したものとなる（図２参照）。
【００２４】
このＦＭ検波回路５の出力電圧がスイッチ信号回路７に入力されると、スイッチ信号回路７においては、その電圧値が判定され、２ｖ以下と判定された場合には、第２及び第３のスイッチ２ｂ，２ｃを開成状態とするための制御信号が生成され、２乃至３ｖの範囲内であると判定された場合には、第１及び第３のスイッチ２ａ，２ｃを開成状態とするための制御信号が生成され、さらに、３ｖを越えると判定された場合は、第１及び第２のスイッチ２ａ，２ｂを開成状態とするための制御信号が生成されて、それぞれ、切り換えスイッチ部１へ対して出力されることとなる。
【００２５】
その結果、ＦＭ検波回路５からの出力電圧が２ｖ以下の場合、換言すれば、音声搬送波周波数が先に述べたＢ又はＧ方式である場合には、切り換えスイッチ部１において、第２及び第３のスイッチ２ｂ，２ｃが開成状態とされ、第１のスイッチ２ａのみが閉成状態のままとされる。したがって、ＩＦ検波信号は、５．５ＭＨｚの通過周波数を有する第１のバンドパスフィルタ３ａのみを介してリミッタ回路４へ入力されるようになる。
また、ＦＭ検波回路５からの出力電圧が２乃至３ｖの範囲内である場合、換言すれば、音声搬送波周波数が先に述べたＩ方式である場合には、切り換えスイッチ部１において、第１及び第３のスイッチ２ａ，２ｃが開成状態とされ、第２のスイッチ２ｂのみが閉成状態のままとされる。したがって、ＩＦ検波信号は、６．０ＭＨｚの通過周波数を有する第２のバンドパスフィルタ３ｂのみを介してリミッタ回路４へ入力されるようになる。
【００２６】
さらに、ＦＭ検波回路５からの出力電圧が３ｖ以上である場合、換言すれば、音声搬送波周波数が先に述べたＤ又はＫ方式である場合には、切り換えスイッチ部１において、第１及び第２のスイッチ２ａ，２ｂが開成状態とされ、第３のスイッチ２ｃのみが閉成状態のままとされる。したがって、ＩＦ検波信号は、６．５ＭＨｚの通過周波数を有する第３のバンドパスフィルタ３ｃのみを介してリミッタ回路４へ入力されるようになる。
このようにして、テレビジョン受信機外部から、第１乃至第３のスイッチ２ａ〜２ｃを切り換えるための信号入力を要することなく、入力されたＩＦ検波信号に含まれる音声信号の音声搬送波周波数に応じて第１乃至第３のバンドパスフィルタ３ａ〜３ｃが選択的に切り換えられ、適切なＦＭ検波出力が得られ、音声信号増幅回路６により適切なレベルとされて出力されることとなる。
【００２７】
なお、上述の説明において、図２に示された特性曲線におけるＤＣ出力電圧は、あくまでも一例であり、ＦＭ検波回路５の出力電圧特性が必ずしもこのような特性である必要はない。
【００２８】
【発明の効果】
以上、述べたように、本発明によれば、テレビジョン受信機内部の信号を流用して、音声搬送周波数の違いに対する音声回路における回路素子の切り換えが自動的に行われるような構成とすることにより、従来と異なり、テレビジョン受信機外部からの信号を新たに入力する必要がないので、そのための回路を設ける必要がなく、しかも、音声搬送周波数の違いに応じてバンドバスフィルタが切り換えられる構成であるので、比較的簡易な構成で、信号歪みの発生や、Ｓ／Ｎ比の劣化が極力少なく、出力特性の向上が図られることとなる。
さらに、ＦＭ検波手段の出力電圧を流用することで、いわゆる方式識別のための独立の回路を必要としない構成とすることができ、そのため、より簡易な構成で、安価なテレビジョン受信機用音声回路及びテレビジョン受信機を提供することができる。
【図面の簡単な説明】
【図１】本発明の実施の形態におけるテレビジョン受信機用音声回路の構成例を示す構成図である。
【図２】図１に示されたテレビジョン受信機用音声回路のＦＭ検波回路の入力周波数に対する出力電圧の変化を示す特性線図である。
【図３】テレビジョン受信機の典型的な構成例を示す構成図である。
【図４】従来の音声信号回路の一構成例を示す構成図である。
【図５】従来の音声信号回路の他の構成例を示す構成図である。
【符号の説明】
１…切り換えスイッチ部
２ａ…第１のスイッチ
２ｂ…第２のスイッチ
２ｃ…第３のスイッチ
３ａ…第１のバンドパスフィルタ
３ｂ…第２のバンドパスフィルタ
３ｃ…第３のバンドパスフィルタ
４…リミッタ回路
５…ＦＭ検波回路
６…音声信号増幅回路
７…スイッチ信号回路
【図１】
0003561622.tif 000002
【図２】
0003561622.tif 000003
【図３】
0003561622.tif 000004
【図４】
0003561622.tif 000005
【図５】
0003561622.tif 000006